(57)【特許請求の範囲】
【請求項１】
計器本体の指針軸に固着され指針軸の回動に応じて作動する指針と、この指針と前記指針軸とを連結する貫通孔及び表示部を設けた表示板とを前記計器本体の前面側に配設した計器と、この計器を収納するケースと、前記計器本体と電気的に接続されたプリント配線板と、前記表示板の背後に配設され前記表示板あるいは前記指針を照明する光源とを備え、前記表示板の裏面側に前記表示板を補強するための裏打部材を一体形成するとともに、前記表示板にパイロット表示部を設け、前記裏打部材に前記パイロット表示部を区画する仕切壁としての機能を持たせたことを特徴とする計器装置。
【発明の詳細な説明】
【０００１】
【発明の属する技術分野】
本発明は、例えば車両に搭載される計器装置の表示板に関し、特に表示板の裏面側に裏打部材を表示板と一体形成した計器装置に関するものである。
【０００２】
【従来の技術】
例えば車両に搭載される計器装置の第１従来例としては、実開昭５８−８１９７６号や実公平４−３１５６０号などがある。前記の計器装置は計器ケース内に速度計などの計器本体を収納固定し、この計器本体に文字板が固定され、文字板の上方には計器本体からの指示を連繋動作する指針が取り付けられている。また、計器ケースの開口端部に見返し板が配設され、さらに計器ケースの開口部分を覆ってガラス板が配設してある。そして、振動による文字板の振れやきしみ音を防止するために、見返し板の裏面側に突起を設け、この突起にゴムなどの緩衝部材を嵌め込んで、この緩衝部材の下端部分を文字板の表面に突き当てることによって、文字板の振れや振れによるきしみ音の発生を抑えるようにしている。
【０００３】
また、後記の計器装置は文字板の背面に文字板や指針を照明するという機能を有する導光体を配設し、この導光体から文字板を貫通させてピンを突設し、このピンにゴムなどの緩衝部材を被着して上側の計器ケースに当接させることによって、前記同様に薄い文字板の振れや振れによるきしみ音の発生を抑えるようにしている。
【０００４】
また、第２従来例として実公平５−１２７３０号がある。これは、計器本体の指針軸と指針のボス部とを連結するために表示板に貫通孔を設けるが、この貫通孔から漏れるランプ光を遮るという機能を有する遮光部と、指針の回動範囲を規制するという機能を有するストッパ部とを一体形成した遮光部材を表示板の貫通孔周りに配設したものである。
【０００５】
【発明が解決しようとする課題】
しかしながら、前記第１従来例においては文字板の振れを抑える必要があり、また、そのための緩衝部材が必要であると共に、緩衝部材を見返し板あるいは導光体に組み付ける作業が必要である。また、第２従来例は遮光部とストッパ部とが一体となってはいるものの、遮光部材という別部材が必要であり、その遮光部材を表示板に組み付ける作業が必要である。
【０００６】
本発明はこの様な点に鑑みなされたもので、表示板の剛性をアップさせて振れを抑えること、また、必要とする機能を兼ね備えた計器装置を得ることを目的とする。
【０００７】
【課題を解決するための手段】
本発明は前記課題を解決するため、計器本体の指針軸に固着され指針軸の回動に応じて作動する指針と、この指針と前記指針軸とを連結する貫通孔及び表示部を設けた表示板とを前記計器本体の前面側に配設した計器と、この計器を収納するケースと、前記計器本体と電気的に接続されたプリント配線板と、前記表示板の背後に配設され前記表示板あるいは前記指針を照明する光源とを備え、前記表示板の裏面側に前記表示板を補強するための裏打部材を一体形成するとともに、前記表示板にパイロット表示部を設け、前記裏打部材に前記パイロット表示部を区画する仕切壁としての機能を持たせたものである。
【００１２】
【発明の実施の形態】
本発明を各実施形態に基づいて説明する。図１は本発明の第１実施形態を示す計器装置の断面図であり、合成樹脂製の中ケース１と、この中ケース１内に収納される計器としての例えば速度計２と、光源としてのランプ３と、見返し板４と、この見返し板４の前面開口側を覆う透明な樹脂からなる透視板５と、中ケース１の後面開口側に配設され、速度計２およびランプ３と電気的に接続されるプリント配線板６と、プリント配線板６の裏面側に配設された下ケース７とから概ね構成される。また、速度計２は計器本体８と、この計器本体８の前面側に配設される表示板９と、計器本体８の指針軸１０に固着され指針軸１０の回動に応じて作動する指針１１とからなる。見返し板４には表示板９周縁と中ケース１との隙間から見える中ケース１の内部を覆い隠す覆い部１２を有している。この覆い部１２は複数の計器が中ケース１内に収納されている場合は、各表示板の合わせ箇所上方をも覆う。
【００１３】
表示板９の部分断面を図２に示す。無色透明な基板１３と、この基板１３の表面側に速度計２の表示部１４となる着色透過層１５を印刷によって設け、表示部１４を除いて黒色の地色層１６を印刷によって設けてある。そして、基板１３の裏面側には表示板９を補強するための補強部材としての黒色の樹脂からなる裏打部材１７が表示板９と一体に形成されている。裏打部材１７は、例えば表示板９を計器本体８に取付固定する箇所、あるいは表示板９周縁など表示部１４に影響を及ぼさない範囲に設ければ良く、表示板９を振れにくくできれば、位置や形状は部分的、あるいは格子状，放射状など任意の構造を選択できる。
【００１４】
また、表示板９は図１に示す様に、ほぼ中心に計器本体８の指針軸１０と指針１１のボス部１８とを連結するための貫通孔１９が設けてあり、この貫通孔１９内周には略円筒状の遮光壁２０が裏打部材１７と一体に設けてある。そして、遮光壁２０の先端側は指針１１を構成する指針キャップ２１の下端より内側に僅かに入り込むようになっている。この遮光壁２０はランプ３からの光が貫通孔１９から表示板９の表面側に漏れて、表示部１４に悪影響を及ぼしたり、計器装置としての商品性を低下させたりするのを防ぐという機能を有する。また、指針１１の先端側と当接してその動きを規制するストッパ２２が裏打部材１７と一体に形成してある。このストッパ２２は例えば速度計２の指示値がゼロの場合や電源が遮断された場合、指針１１の回動を規制し所定位置で指針１１を停止させる機能を持っている。
【００１５】
また、表示板９の裏面にはプリント配線板６側に延びる係止片２３を裏打部材１７と一体に設けてある。この係止片２３は表示板９をプリント配線板６に取付固定するものであり、その先端側に係止爪２４を有する。すなわち、プリント配線板６に設けた係止穴２５に係止片２３の先端側を、係止爪２４を設けた側とは反対側（図１中、計器本体８側）に撓ませながら挿入し、係止爪２４がプリント配線板６から外れた時点で係止片２３が元の位置に戻ってプリント配線板６の裏面に係止爪２４が係止することによって、表示板９がプリント配線板６に取付固定される。この様に、裏打部材１７は表示板９をプリント配線板６に取付固定する固定部としての機能も合わせ持つ。
【００１６】
この様に、表示板９に裏打部材１７を一体形成したことにより、表示板９の剛性がアップするため、別部材を用いて表示板９の振れを抑える必要性が少なくなる。また、表示板９の貫通孔１９内周に裏打部材１７と一体に遮光壁２０を設けたことにより、別部材を用いることなくランプ３からの光が表示板９の表面側に漏れるのを防ぐことが出来る。また、指針１１を停止させるためのストッパ２２を裏打部材１７と一体に設けたことにより、別部材を用いることなく指針１１の回動を規制し所定位置で指針１１を停止させることが出来る。また、表示板９の裏面にプリント配線板６に延びる係止片２３を裏打部材１７と一体に設けてプリント配線板６に取付固定可能としたことにより、別部材を用いることなく表示板９をプリント配線板６に取付固定できる。かつ各々の組み付け作業性も向上する。なお、裏打部材１７に持たせる表示板９の付加機能部としては、上記の他にも任意の付加機能部を設定できる。
【００１７】
図３は本発明の第２実施形態を示すが、前記第１実施形態と同一もしくは相当箇所には同一符号を付し、その詳細説明は省略する。表示板９には、図示しないが前記第１実施形態と同様に表面側に表示部が設けてあり、裏面側には表示板９を補強するための裏打部材１７が一体に形成されている。この裏打部材１７は表示板９と同一の無色透明な材料からなる。そして、ランプ３からの光を指針１１や表示部に導く受光部２６および導光部２７を裏打部材１７と一体に形成してある。この導光部２７は指針１１や表示部に光を導く他、ランプ３からの光を背面から受けて表示部をより均一に照明するのに効果的なため、表示板９の裏面側に適宜に設ければよい。なお、受光部２６の下端形状は光源がＬＥＤの場合には光が集光するように設ければよい。
【００１８】
また、表示板９の裏面には下方に延びる係止片２３を裏打部材１７と一体に設けてある。この係止片２３は表示板９を中ケース１に取付固定するものであり、その先端側に係止爪２４を有する。すなわち、中ケース１に設けた係止穴２５に係止片２３の先端側を、係止爪２４を設けた側とは反対側に撓ませながら挿入し、係止爪２４が中ケース１から外れた時点で係止片２３が元の位置に戻って中ケース１の裏面に係止爪２４が係止することによって、表示板９が中ケース１に取付固定される。この様に、裏打部材１７は表示板９を中ケース１に取付固定する固定部としての機能も合わせ持つ。
【００１９】
この様に、表示板９に裏打部材１７を一体形成したことにより、前記第１実施形態と同様に、表示板９の剛性がアップするため、別部材を用いて表示板９の振れを抑える必要性が少なくなる。また、受光部２６および導光部２７を裏打部材１７と一体に形成したことにより、別部材を用いることなくランプ３からの光を指針１１や表示板９の表示部に導くことが出来る。また、表示板９の裏面に下方に延びる係止片２３を裏打部材１７と一体に設けて中ケース１に取付固定可能としたことにより、別部材を用いることなく表示板９を中ケース１に取付固定できる。かつ各々の組み付け作業性も向上する。
【００２０】
図４は本発明の第３実施形態を示す。計器装置には、一般的にターンシグナル，ギヤポジションおよび各種ウォーニングなどを表示するパイロット表示部が設けてある。本実施形態における表示板９には速度を表示する表示部１４の他に、ウォーニング表示としての図示しないエンジンオイル記号（パイロット表示部）２８が設けてある。また、エンジンオイル記号２８と対応するプリント配線板６上には、エンジンオイル記号２８を照明する光源としての発光色が赤色の発光ダイオード２９が設けてある。そして、発光ダイオード２９の光が他の表示部１４を照射したり、逆に他の表示部１４を照明するランプ３からの光がエンジンオイル記号２８を照射することの無い様に、エンジンオイル記号２８の周囲に筒状の仕切壁３０を形成してある。この仕切壁３０は、表示板９を補強するための裏打部材１７から延設したものであり、表示板９と一体となっている。裏打部材１７は白色の光不透過性の樹脂からなる。
【００２１】
なお、パイロット表示部は車両の異常や作動に変化等があった場合に、仕切壁３０内に設けた光源が点灯して車両の運転者に異常や作動を知らせるようになっており、本実施形態の場合、車両のエンジンオイルの圧力が低下して仕切壁３０内の発光ダイオード２９が点灯すると、エンジンオイル記号２８が赤色で視認される。
【００２２】
また、裏打部材１７は下ケース７側に延びる係止片２３を設け、係止片２３の先端側に係止爪２４を設けてある。そして、下ケース７に設けた係止穴２５に係止片２３を先端側から差し込んで、前記各実施形態と同様に下ケース７の裏面に係止爪２４が係止されるように構成してある。この様に、裏打部材１７は表示板９を補強する他に、エンジンオイル記号２８の周囲を仕切る仕切壁３０としての機能を有し、発光ダイオード２９やランプ３からの光が表示部１４やエンジンオイル記号２８の表示に影響を及ぼさないようにしてある。また、表示板９を下ケース７に取付固定するという機能を有する。また、裏打部材１７には速度を表示する表示部１４を照明するランプ３の光が反射する反射壁３１をプリント配線板６側に向かって突設してある。この反射壁３１はランプ３からの光を表示板９の裏面側や指針１１側に反射させる機能を持っている。
【００２３】
この様に、表示板９に裏打部材１７を一体形成したことにより、前記各実施形態と同様に、表示板９の剛性をアップさせることが出来る。また、エンジンオイル記号２８の周囲を区画する仕切壁３０を裏打部材１７と一体に形成したことにより、別部材を用いることなく、発光ダイオード２９やランプ３からの光が表示部１４やエンジンオイル記号２８の表示に影響を及ぼさないようにすることが出来る。また、表示板９の裏面に下ケース７側に延びる係止片２３を裏打部材１７と一体に設けて下ケース７に取付固定可能としたことにより、別部材を用いることなく表示板９を下ケース７に取付固定できる。また、反射壁３１を裏打部材１７と一体に形成したことにより、別部材を用いることなくランプ３からの光を表示板９の裏面側や指針１１側に反射させて、表示部１４や指針１１を明るく照らし出すことが可能となる。かつ各々の組み付け作業性も向上する。なお、反射壁３１は必要に応じて適宜箇所に設ければよい。
【００２４】
図５は本発明の第４実施形態を示す。本実施形態は前記第３実施形態におけるウォーニング表示としてのエンジンオイル記号（パイロット表示部）２８を設けた表示板９箇所を凸状の球面（立体形状）として立体的に表示したものである。この表示板９は無色透明な基板１３の表面側にエンジンオイル記号２８となる白色の着色透過層１５を印刷によって設け、エンジンオイル記号２８を除いて黒色の地色層１６を印刷によって設けた後、絞り加工して立体形状に形成したものである。また、基板１３の裏面側には表示板９を補強するための補強部材としての無色透明な樹脂からなる裏打部材１７が適宜箇所に表示板９と一体に形成されている。
【００２５】
また、プリント配線板６上に設けた発光色が赤色の発光ダイオード２９からの光をエンジンオイル記号２８に導くための略円柱形の導光部２７が裏打部材１７と一体に設けてある。導光部２７の下端側には凹部３２が設けてあり、凹部３２内に発光ダイオード２９が配設されるようになっている。この導光部２７はエンジンオイル記号２８に光を導く機能を有し、発光ダイオード２９が点灯すると、光は導光部２７の外周に全反射して上方へと導かれて、エンジンオイル記号２８が赤色で視認されるようになる。
【００２６】
この様に、表示板９に裏打部材１７を一体形成したことにより、前記各実施形態と同様に、表示板９の剛性をアップさせることが出来る。また、導光部２７を裏打部材１７と一体に設けたことにより、別部材を用いることなく発光ダイオード２９からの光をエンジンオイル記号２８に導くことが出来る。そして、パイロット表示部であるエンジンオイル記号２８を立体的に表示できる。
【００２７】
図６は本発明の第５実施形態を示すもので、図１における見返し板４の覆い部１２を表示板９と一体にしたものである。この表示板９は各表示部を印刷後、絞り加工によって段差を設けた表示板９に形成した後、さらに表示板９の少なくとも周囲に裏打部材１７を一体に形成したものである。この表示板９は周囲を中ケース１と透視板５間に挟まれた状態で計器装置に組み込まれている。なお、速度を表示する目盛，数字，文字などを例えば凸状とすれば、表示部を立体的なデザインとすることが出来る。また、裏打部材に前記各実施形態で述べた機能を持たせても良い。
【００２８】
この様に、先に印刷を行った後に立体形状に絞り加工するため、立体的かつ複雑形状の表示板であっても容易に対応可能である。また、表示板９の板厚が立体形状に絞り加工しやすい程の薄さであっても、裏打部材１７を一体形成することによって表示板９の剛性をアップさせることが出来る。また、表示板９に段差を設けて見返し板４の覆い部１２相当箇所を一体としたことにより、表示板９の周囲が従来の見返し板の如く視認され、見返し板を廃止することも可能となる。
【００２９】
次に、計器装置用表示板の製造方法について図７および図８を用いて説明する。第１実施形態における計器装置用表示板を例に説明すると、表示部１４が印刷され、指針本体の８の指針軸１０と指針１１のボス部１８とを連結するための箇所及び指針１１のストッパ２２と対応する箇所に貫通孔１９を予め設けた表示板９を、可動型３３のキャビティ形成面３４にセットした後、可動型３３と固定型３５を型閉めする（図７参照）。その後、樹脂射出口３６より裏打部材１７となる黒色の樹脂をキャビティ３７に射出し、表示板９に裏打部材１７を一体成形する。また、同時に遮光壁２０，ストッパ２２および係止爪２４を有する係止片２３が裏打部材１７と一体に成形される（図８参照）。
【００３０】
この様に、表示板９に裏打部材１７となる成形樹脂が一体に成形されるので、強固に裏打ちされた計器装置用表示板を容易に製造できる。また、別工程を要することなく、裏打部材１７成形と同時にランプ３からの光が表示板９の表面側に漏れるのを防ぐ遮光壁としての機能，指針１１を停止させるためのストッパ２２としての機能，表示板９をプリント配線板６に取付固定する固定部としての機能を持つ一体成形タイプの計器装置用表示板を容易に製造できる。なお、他実施形態における計器装置用表示板の製造方法も同様である。
【００３１】
【発明の効果】
請求項１に記載の効果としては、表示板の剛性がアップするとともに、別部材を用いることなく、パイロット表示部以外を照明する光源からの光がパイロット表示部に影響を及ぼすのを防ぐことが出来る。また、計器装置の組み付け作業性も向上する。
【図面の簡単な説明】
【図１】本発明の第１実施形態を示す計器装置の断面図。
【図２】同実施形態の計器装置用表示板を示す部分断面図。
【図３】本発明の第２実施形態を示す計器装置の部分断面図。
【図４】本発明の第３実施形態を示す計器装置の部分断面図。
【図５】本発明の第４実施形態を示すパイロット表示部の部分断面図。
【図６】本発明の第５実施形態を示す計器装置の部分断面図。
【図７】本発明の計器装置用表示板の成形工程を示す裏打部材射出前の断面図。
【図８】本発明の計器装置用表示板の成形工程を示す裏打部材射出後の断面図。
【符号の説明】
１  中ケース（ケース）
２  速度計（計器）
３  ランプ（光源）
６  プリント配線板
７  下ケース（ケース）
８  計器本体
９  表示板
１０  指針軸
１１  指針
１４  表示部
１７  裏打部材
１９  貫通孔
２０  遮光壁
２２  ストッパ
２３  係止片（固定部）
２４  係止爪（固定部）
２７  導光部
２８  エンジンオイル記号（パイロット表示部）
２９  発光ダイオード（光源）
３０  仕切壁
３１  反射壁
３３  可動型（射出成形金型）
３５  固定型（射出成形金型）
【図１】
0003747454.tif 000002
【図２】
0003747454.tif 000003
【図３】
0003747454.tif 000004
【図４】
0003747454.tif 000005
【図５】
0003747454.tif 000006
【図６】
0003747454.tif 000007
【図７】
0003747454.tif 000008
【図８】
0003747454.tif 000009